(57)【要約】      （修正有）【課題】各種の農作業を容易に行え、各種サイズの容器を容易に積載できると共に、不使用時にはコンパクトに折り畳める農作業用運搬車を提供する。【解決手段】矩形状の枠材３〜５からなり、左右の側枠５毎に車輪８を取り付けた下方枠２と、下方枠２の前枠３と左右の側枠５との角部に跨って立設した前側角部支持枠６と、矩形状の枠材１３〜１５からなり、後枠１４と左右の側枠１５との角部に跨って立設したＬ字形状の後側角部支持枠１６を有する上方枠１２と、前後複数の９，１０と、前Ｆ側に延びた左右一対の引き枠２２、および持ち手枠２４からなる牽引枠２０と、前Ｆ側の端部に係止部４３を有する係止枠４０と、係止部４３を掛け止め可能に受け入れる掛止部３０と、を備える。【選択図】図１
0003188684.tif 000002
【実用新案登録請求の範囲】
【請求項１】
平面視が矩形状の枠材(３〜５)からなり、且つ左右一対の側枠(５)ごとに一対の車輪(８)を個別に取り付けた下方枠(２)と、
上記下方枠(２)における前方(Ｆ)側の前枠(３)と左右一対の側枠(５)ごととの角部に跨って立設し且つ平面視がＬ字形状の前側角部支持枠(６)と、
平面視が矩形状の枠材(１３〜１５)からなり、後方(Ｒ)側の後枠(１４)と左右一対の側枠(１５)ごととの角部に跨って立設し且つ平面視がＬ字形状の後側角部支持枠(１６)を有する上方枠(１２)と、
上記下方枠(２)および上方枠(１２)の前枠(３，１３)同士の間と、下方枠(２)および上方枠(１２)の後枠(４，１４)同士の間とにおいて、両端が回転可能に個別に接続された前後複数ずつの傾動枠(９，１０)と、
上記下方枠(２)の前枠(３)に後方(Ｒ)側の端部(２１)が回転可能に接続され、且つ前方(Ｆ)側に延びた左右一対の引き枠(２２)、および該一対の引き枠(２２)における前方(Ｆ)側の端部同士の間を接続する持ち手枠(２４)からなる牽引枠(２０)と、
上記上方枠(１２)の前枠(１３)に後方(Ｒ)側の端部が回転可能に接続され、且つ前方(Ｆ)側の端部に係止部(４３)を有する係止枠(４０)と、
上記牽引枠(２０)における左右一対の引き枠(２２)の中間に配置され、且つ上記係止枠(４０)の係止部(４３)を掛け止め可能に受け入れる掛止部(３０)と、を備えてなる、
ことを特徴とする農作業用運搬車(１)。
【請求項２】
前記係止枠(４０)は、上方枠(１２)の前枠(１３)に後方(Ｒ)側の端部が回転可能に接続される左右一対の旋回枠(４２)と、該一対の旋回枠(４２)の前方(Ｆ)側の端部同士間を接続する正面視でＵ字形状の係止部(４３)とからなると共に、前記掛止部(３０)は、縦方向に貫通する掛止孔(３１)を有し、且つ該掛止孔(３１)の内側に挿入された上記係止部(４３)を抜け止め可能とするロック手段(３２)を備えている、
ことを特徴とする請求項１に記載の農作業用運搬車(１)。
【請求項３】
前記係止枠(４０)におけるＵ字形状の係止部(４３)は、前後複数ずつの前記傾動枠(９，１０)を垂直姿勢から後方(Ｒ)側に傾けて水平姿勢とし、前記下方枠(２)の真上に上方枠(１２)を載置して前後方向に長い荷台(Ｎ)を形成し、更に上記係止枠(４０)における一対の旋回枠(４２)を後方(Ｒ)側に旋回して、該一対の旋回枠(４２)を上記上方枠(１２)の真上に載置した際に、上記荷台(Ｎ)の後方(Ｒ)側における中央部の支持枠を兼ねる、
ことを特徴とする請求項２に記載の農作業用運搬車(１)。
【考案の詳細な説明】
【技術分野】
【０００１】
本考案は、例えば、消毒、施肥、および収穫のような各種の農作業に用いられ、各種サイズの薬液タンクや収納容器などを自在に積載できると共に、不使用時にはコンパクトに折り畳める農作業用運搬車に関する。
【背景技術】
【０００２】
前記のような各種の農作業を比較的小規模の田畑や果樹園などで行う場合、個々の農作業に適した人手による運搬手段を含む各種の装置が用いられている。
例えば、田畑や果樹園などにおいて隣接する畝同士の間に沿って、農作業者が一対の車輪を有する収納部を該収納部の前方側を接続した牽引枠を引いて移動しつつ、上記収納部に納めた薬液タンクから液状の農薬や肥料を田畑などに噴霧できる農作業用噴霧装置が提案されている（例えば、特許文献１参照）。
【０００３】
しかし、前記農作業用噴霧装置では、収納部のサイズ（容積）が一定であるため、該収納部に納まるサイズのタンクや容器のみしか運搬できないと共に、不使用時においては、前記収納部の容積が不変であるので、格納するために所要のスペースが必要となる、という問題点があった。
【先行技術文献】
【特許文献】
【０００４】
【特許文献１】実用新案登録第３１６１２６７号公報(第１〜１２頁、図１〜７)
【考案の概要】
【考案が解決しようとする課題】
【０００５】
本考案は、背景技術で説明した問題点を解決し、各種の農作業を少ない労力で効率良く行うことができ、且つ各種サイズの薬液タンクや収納容器を自在に積載できると共に、不使用時にはコンパクトに折り畳める農作業用運搬車を提供する、ことを課題とする。
【課題を解決するための手段および考案の効果】
【０００６】
本考案は、前記課題を解決するため、考案者による鋭意探求の結果、例えば、薬液タンクや収穫容器を収納するための収納部を折り畳み可能の枠体により構成し、各種サイズの上記容器などを安定して運搬できると共に、不使用には全体をコンパクトに折り畳める機構を用いる、ことに着想して成されたものである。
即ち、本考案の農作業用運搬車（請求項１）は、平面視が矩形状の枠材からなり、且つ左右一対の側枠ごとに一対の車輪を個別に取り付けた下方枠と、該下方枠における前方側の前枠と左右一対の側枠ごととの角部に跨って立設し且つ平面視がＬ字形状の前側角部支持枠と、平面視が矩形状の枠材からなり、後方側の後枠と左右一対の側枠ごととの角部に跨って立設し且つ平面視がＬ字形状の後側角部支持枠を有する上方枠と、上記下方枠および上方枠の前枠同士の間と、下方枠および上方枠の後枠同士の間とにおいて、両端が回転可能に個別に接続された前後複数ずつの傾動枠と、上記下方枠の前枠に後方側の端部が回転可能に接続され、且つ前方側に延びた左右一対の引き枠、および該一対の引き枠における前方側の端部同士の間を接続する持ち手枠からなる牽引枠と、上記上方枠の前枠に後方側の端部が回転可能に接続され、且つ前方側の先端部に係止部を有する係止枠と、上記牽引枠における左右一対の引き枠の中間に配置され、且つ上記係止枠の係止部を掛け止め可能に受け入れる掛止部と、を備えてなる、ことを特徴とする。
【０００７】
これによれば、前記下方枠、上方枠、および前後複数ずつの傾動枠に包囲された全体が直方体状の収納部には、縦に比較的長い農薬用の薬液タンクなどを収納できるので、例えば、前記牽引枠の持ち手枠を片手で前方側に引っ張りつつ、液状の農薬や肥料を残りの片手で噴霧ノズルを操作しなから、田畑や菜園などに農薬などを噴霧することができる。しかも、上方枠と牽引枠の中間に設けた掛止部との間には、該掛止部に係止部が掛け止めされている前記係止枠が配設されているで、前後複数ずつの傾動枠によって、上方枠が後方側および前方側の双方に不用意に傾くことがなく、上記収納部を確実に保持することができる。
更に、片手で上記係止枠の係止部を掛止部から解放し、残りの片手で上方枠を持って、該上方枠を前後複数ずつの傾動枠を回転させつつ後方側に傾動させると、下方枠の後方側に上方枠がほぼ平行状態の水平状姿勢となる。引き続いて、前記係止枠を後方側に移行した上方枠の真上にほぼ水平姿勢にして倒すことにより、前後方向に沿って長い荷台を形成できる。かかる荷台の四隅には、前記一対の前側角部支持枠および一対の後側角部支持枠が立設しているので、例えば、樹脂製で前後方向に長い直方体状の収穫容器などを載せて運搬することができる。
【０００８】
加えて、前述した下方枠の後方に上方枠を移行し、且つ係止枠を上方枠の真上に移行した後、更に、前記牽引枠をその後方側の端部を回転中心としてその持ち手を掴んで後方側に半円状に回転させることで、該牽引枠を上記下方枠および上方枠の真上にほぼ水平状の姿勢で折り畳むことができる。その結果、本農作業用運搬車の全体を扁平で且つコンパクトな容積に縮小して保管することができる。
従って、本農作業用運搬車によれば、各種の農作業を少ない労力で効率良く行うことができ、且つ各種サイズの薬液タンクや収穫容器を自在に積載できると共に、不使用時にはコンパクトに折り畳んで保管することが可能となる。
【０００９】
尚、前記下方枠、上方枠、傾動枠、牽引枠、係止枠は、例えば、直径数ｃｍの鋼管やアルミニウム管（押出形材）などを曲げ加工したものが用いられる。
また、前記回転可能とは、例えば、下方枠の前枠を包囲する円筒形のスリーブの外周面や大径の雌ネジ孔を有するナットの外側面に対し、傾動枠の下端部あるいは牽引枠の後方側の端部を溶接付けした形態が例示される。
更に、前記牽引枠における一対の引き枠の中間に配置される前記掛止部の付近には、昇降可能で且つ垂直面内で回転可能な支え軸を配置し、該支え軸の下端に方向自在輪を取り付けることで、前記一対の車輪と共に３輪車を構成しても良い。あるいは、記牽引枠における一対の引き枠の後方側の端部ごとに、一対の補助脚を取り付け、定位置で農作業するや、休憩を取る際に、上記一対の車輪と共に本農昨業用運搬車をほぼ水平状の姿勢に保つことも可能である。
また、上記支え軸の下端に取り付けた方向自在輪の付近には、接地部分が外側に開いた左右一対の傾斜輪を更に取り付けることにより、前記３輪車として前方側へ移動する際でも、畑の畝間における凹凸の地面上も安定して運搬できる。
加えて、前記下方枠の内側には、例えば、該下方枠を構成する左右一対の側枠と平行な複数の支え枠を設けたり、該下方枠を構成する前枠や後枠と平行な複数の支え枠を設けることで、下方枠、上方枠、および前後複数ずつの傾動枠に包囲された収納部に納められるタンクや収穫容器の底面を支持する荷台機能が与えられる。あるいは、上記のような支え枠に替えて、上記下方枠の内側に前記「回転可能」に支障のない範囲において、敷き板（荷台）を取り付けても良い。
【００１０】
また、本考案には、前記係止枠は、上方枠の前枠に後方側の端部が回転可能に接続される左右一対の旋回枠と、該一対の旋回枠の前方側の端部同士間を接続する正面視でＵ字形状の係止部とからなると共に、前記掛止部は、縦方向に貫通する掛止孔を有し、且つ該掛止孔の内側に挿入された上記係止部を抜け止め可能とするロック手段を備えている、農作業用運搬車（請求項２）も含まれる。
これによれば、前記係止枠におけるＵ字形状の係止部を、掛止部の掛止孔の内側に挿入するだけで、前記上方枠が後方側および前方側の双方に不用意に傾く事態を防止できる。しかも、例えば、上記Ｕ字形状の係止部の内側に進退する摘み付きボルトなどからなるロック手段によって、当該係止部の掛止部からの抜け出しを予防できるので、上記上方枠の不用意な傾きを確実に防ぐことできる。
【００１１】
更に、本考案には、前記係止枠におけるＵ字形状の係止部は、前後複数ずつの前記傾動枠を垂直姿勢から後方側に傾けて水平姿勢とし、前記下方枠の真上に上方枠を載置して前後方向に長い荷台を形成し、更に上記係止枠における一対の旋回枠を後方側に旋回して、該一対の旋回枠を上記上方枠の真上に載置した際に、上記荷台の後方側における中央部の支持枠を兼ねる、農作業用運搬車（請求項３）も含まれる。
これによれば、前記のように、前記上方枠を下方枠の後方側に移行させて前後方向に沿った長い荷台を形成し、且つ係止枠を上方枠の真上に移行した後、更に、前記牽引枠をその後方側の端部を回転中心としてその持ち手を掴んで後方側に回転させることで、該牽引枠を上記下方枠および上方枠の真上にほぼ水平状の姿勢で折り畳んだ状態において、前記係止枠におけるＵ字形状の係止部は、前後方向に沿って長い荷台の後方側における中央部から逆Ｕ字形状に立設した姿勢となる。従って、上記折り畳み状態において、係止枠の係止部は、上記荷台に積載される収穫容器の後方側の中央部に立設する支持枠として機能することも可能となる。
【図面の簡単な説明】
【００１２】
【図１】本考案による一形態の農作業用運搬車を示す斜視図と部分拡大図。
【図２】前記農作業用運搬車による１つの使用形態を示す側面図。
【図３】前記農作業用運搬車の機能を示す側面図。
【図４】前記機能を含む前記農作業用運搬車の別の使用形態を示す側面図。
【図５】（Ａ），（Ｂ）は前記農作業用運搬車の折り畳み機能を示す側面図。
【考案を実施するための形態】
【００１３】
以下において、本考案を実施するための形態について説明する。
図１は、本考案による一形態の農作業用運搬車１を示す斜視図などである。尚、図１中では、左側を前方Ｆ側と称し、右側を後方Ｒ側と称すると共に、図２以下の図面においても、上記と整合するようにしている。
上記農作業用運搬車１は、図１に示すように、平面視が矩形（長方形または正方形）状の下方枠２および上方枠１２と、これらの前方Ｆ側および後方Ｒ側に両端部が回転可能に接続された前後一対（複数）ずつの垂直姿勢の傾動枠９，１０と、上記下方枠２の前方Ｆ側から回転可能に斜め前方Ｆ側に延びた牽引枠（ハンドル）２０と、該牽引枠２０の中間に設けた掛止部３０と、上方枠１２の前方Ｆ側から垂直方向に回転可能で且つ水平状に延びた係止枠４０と、を含んでいる。
【００１４】
前記下方枠２および上方枠１２は、例えば、比較的細径の鋼管を曲げ加工したものであり、図１に示すように、前枠３，１３、後枠４，１４、およびこれらの間を接続する左右一対の側枠５，１５を備えている。下方枠２における前方Ｆ側の前枠３と左右一対の側枠５との角部（コーナー）には、該角部ごとに跨って平面視がＬ字形状を呈すると左右一対の前側角部支持枠６が溶接付け（以下、溶着と称する）により立設している。
また、上方枠１２における後方Ｒ側の後枠１４と左右一対の側枠１５との角部には、該角部ごとに跨って平面視がＬ字形状を呈する左右一対の後側角部支持枠１６が溶着により立設している。
更に、前記下方枠２における左右一対の側枠５には、軸受を含む取付金具７を介して一対の車輪８が個別に取り付けられている。尚、下方枠２の内側には、前記側枠５と平行状で且つ水平状である左右一対（複数）の支え枠５ａが、それらの両端部を前枠３および後枠４に溶着されている。該一対の支え枠５ａは、周囲の下方枠２と共に、後述する薬液タンクＴなどの収納部Ｓの荷台を構成している。
【００１５】
また、図１に示すように、前方Ｆ側に位置する左右一対の傾動枠９は、上・下端（両端）を溶着した円筒形のスリーブ１１に、下方枠２および上方枠１２の前枠３，１３が貫通しており、後方Ｒ側に位置する左右一対の傾動枠１０は、上・下端を溶着した円筒形のスリーブ１１に、下方枠２および上方枠１２の後枠４，１４が貫通している。かかる構成によって、各傾動枠９，１０は、上・下端部で回転可能にして、下方枠２と上方枠１２との間に取り付けられている。
更に、前記牽引枠２０は、下方枠２の前枠３に前記同様のスリーブ１１を介してを回転可能に連結された後方Ｒ側で左右一対の端部２１と、該端部２１から斜め前方Ｆ側（上方）に延びた左右一対の引き枠２２と、該一対の引き枠２２における前方Ｆ側の端部同士を接続する水平な持ち手枠２４とを備えている。該持ち手枠２４と各引き枠２２との間には、それぞれ水平部２３が位置している。上記持ち手枠２４の周面には、滑り止めとなり且つ合成樹脂製またはゴム製などである円筒形状のグリップ２５が巻き付けられている。
尚、牽引枠２０における一対の端部２１付近には、それぞれ軸１７が斜め前方Ｆ側に垂下し、該軸１７ごとの下端には、硬質樹脂また硬質ゴムからなる補助脚１８が取り付けられている。該一対の補助脚１８は、後述する方向自在輪４６を折り畳んだ際に、前記一対の車輪８と共に、本運搬車１をやや傾けて支持する。
【００１６】
また、図１に示すように、前記牽引枠２０における左右一対の引き枠２２間には、下方側の接続枠１９と中間部の水平枠２６とが水平状に接続されている。
図１中での一点鎖線の矢印Ｙの視覚により拡大した一点鎖線部分Ｙと共に示すように、水平枠２６は、軸方向の両端部を引き枠２２に溶着された左右一対の筒部２７内に回転可能に支持され、一方の筒部２７をその径方向に沿って貫通および進退する摘み付きボルト２８により固定可能とされている。該水平枠２６の中間の前方Ｆ側には、ほぼ垂直姿勢に溶着した平板２９を介してパイプ３３が垂直状にして溶着されている。該パイプ３３の内側には、支え軸３５が昇降可能に貫通しており、該支え軸３５の軸方向に沿って穿設した複数の小孔３６に、上記パイプ３３を径方向に沿って貫通および進退する摘み付きボルト３４が進入することにより、上記支え軸３５の下方（地面ＧＲ）側の長さを調整可能としている。
【００１７】
前記支え軸３５の下端は、ピン３５ｐを介して、水平な平板３７の上面に立設した側面視が半円形状の縦板３８に回転可能に接続されている。該縦板３８には、円弧形状の透孔３９が形成され、上記支え軸３５の下端側を水平に貫通するボルト・ナット４４により、支え軸３５と平板３７との連結角度を調整可能としている。また、上記平板３７の底面には、軸受を有する取付金具４５を介して方向自在輪４６が取り付けられている。該方向自在輪４６は、前記一対の車輪８と共に、本農業溶運搬車１を３輪車として構成するものである。尚、上記平板３７の後方Ｒ側には、正面視でほぼ台形状を呈する金具４７が接続され、該金具４７における左右一対の傾斜片４８には、接地部分が外側に開いた左右一対の傾斜輪４９を取り付けられており、これより、前記３輪車として前方Ｆ側へ移動する際において、畑の畝間などにおける凹凸の地面上も安定して運搬することが容易となる。
【００１８】
更に、前記水平枠２６の中間の後方Ｒ側には、角筒体形状の掛止部３０が溶着され、その内側にはほぼ縦方向に沿った掛止孔３１が貫通し、該掛止部３０における左右方向の中央部には、水平方向に進退可能する摘み付きボルト（ロック手段）３２が貫通している。該ボルト３２の先端部は、掛止孔３１内を進退する。
図１および図１中における一点鎖線の矢印Ｘの視覚により拡大した一点鎖線部分Ｘで示すように、前記係止枠４０は、前記上方枠１２の前枠１３に巻き付けた軸方向に長い円筒形状のスリーブ４１を介して後方Ｒ側の端部を回転可能に連結された左右一対の旋回枠４２と、該一対の旋回枠４２における前方Ｆ側の端部同士を接続する正面視でＵ字形状の係止部４３とからなる。該係止部４３は、前記掛止部３０の掛止孔３１内に挿入された状態で、その内側（空間）を上記摘み付きボルト３２の先端側（雄ネジ）が進入することで、該係止部４３を含む係止枠４０が、掛止部３０および牽引枠２０から不用意に離れないように拘束している。
【００１９】
図２は、図１で示した農作業用運搬車１の側面図である。尚、図２〜図５においては、前記軸１７および補助脚１８を省略している。また、図２，図３，図５中の符号ＧＬは、地面（田畑などにおける畝間の路地面を含む）を示している。
図２に示すように、係止枠４０は、その係止部４３が牽引枠２０の中間に設けた掛止部３０に掛け止めされて拘束され、同時に上記牽引枠２０も一定の斜め姿勢で保持されている。図示のように、下方枠２(支え枠５ａを含む)、上方枠１２、各傾動枠９，１０に囲まれた内側には、縦長で直方体状の収納スペースＳが形成されている。該スペースＳは、前側・後側角部支持枠６，１６により、前方Ｆ側の下部の各角部と後方Ｒ側の中間各の角部とを更に囲まれている。そのため、例えば、上記収納スペースＳに縦長の薬液タンクＴなどを納め、片手で牽引枠２０のグリップ２５を前方側に引っ張りつつ、液状の農薬や肥料を残りの片手で噴霧ノズルを操作しながら、比較的少ない労力で田畑などに噴霧することができる。
【００２０】
ここで、図３，図４に基づいて、前後方向に沿って長い荷台Ｎを有する形態に変化させる機能について説明する。
先ず、前記掛止部３０の摘み付きボルト３２を後退させ、係止枠４０の係止部４３のロック状態を解除する。次に、図３中の実線の矢印で示すように、係止枠４０における一対の旋回枠４２における後方Ｒ側の前記スリーブ４１を回転中心として、片手で当該係止枠４０を後方Ｒ側で且つ斜め上方に持ち上げる。
かかる状態で、上方枠１２の適所を残りの片手で掴み、図３中の一点鎖線の矢印で示すように、前方Ｆ側に位置する左右一対の傾動枠９および後方Ｒ側に位置する左右一対の傾動枠１０を、これらの下端に位置する下方枠２側の各スリーブ１１を回転中心として回転させることによって、上記上方枠１２を水平姿勢のまま後方Ｒ側で且つ斜め下方に平行移動させる。
【００２１】
その結果、図４に示すように、前記上方枠１２は、下方枠２よりも後方Ｒ側で且つ該下方枠２とほぼ平行な水平状の姿勢となる。尚、前記傾動枠９，１０は、下方枠２と上方枠１２との間において、僅かに傾斜した水平状の姿勢となる。
更に、図４中の破線で示す前記係止枠４０を、同図中の破線の矢印で示すように、前記スリーブ４１を回転中心として、後方Ｒ側で且つ下向きに回転させる。
その結果、図４に示すように、ほぼ同じの水平面付近に位置する下方枠２および上方枠１２の上方に跨って、平面視が長方形状を呈し且つ前後方向に沿って長く平坦な荷台Ｎが形成される。かかる荷台Ｎの平面視における四隅には、前方Ｆ側に位置する左右一対の前側角部支持枠６および後方Ｒ側に位置する左右一対の後側角部支持枠１６が、平面視におけるそれぞれのＬ字形状が当該荷台Ｎを囲むようにして立設している。
【００２２】
しかも、水平状の姿勢となった前記係止枠４０の係止部４３は、図４に示すように、前記荷台Ｎにおける後方Ｒ側の周辺で、且つ上記左右一対の後側角部支持枠１６に挟まれた中央部に立設している。そのため、該係止部４３は、前記荷台Ｎの後方Ｒ側の中央部における支持枠としての機能も兼ねている。
以上の結果、図４に示すように、前記荷台Ｎ上に、例えば、樹脂製で且つ前後方向に長い直方体形状の収穫容器Ｂを載せると、該収穫容器Ｂは、前方Ｆ側の両角部を左右一対の前側角部支持枠６に囲まれ、且つ後方Ｒ側の両角部と中央部とを、左右一対の後側角部支持枠１６と係止部４３とに囲まれている。
その結果、例えば、収穫期の畑、果樹園、あるいは菜園において、前記牽引枠２０を引いて移動しつつ、成育した野菜や果物などを上記収穫容器Ｂに順次収穫する際において、該収穫容器Ｂを上記荷台Ｎから脱落させることなく、比較的少ない労力によって効率良く収穫作業を行うことが可能となる。
【００２３】
図５（Ａ），（Ｂ）は、本農作業用運搬車１の不使用時において、コンパクトに折り畳んで保管（格納）する機能に関する。
図５（Ａ）に示すように、前記荷台Ｎを形成した状態において、先ず、前記摘み付きボルト２８を一旦緩め、下端（地面ＧＬ）側に方向自在輪４６などを有する前記支え軸３５を、前記水平枠２６を回転中心として、図５（Ａ）中の一点鎖線の矢印で示すように、牽引枠２０の引き枠２２側に接近させた後、上記摘み付きボルト２８を再締付けすることで、方向自在輪４６などと共に支え軸３５の位置を固定する。
次いで、図５（Ａ）中の実線の湾曲した矢印で示すように、牽引枠２０をその後方Ｒ側の端部２１における前記スリーブ１１を回転中心として、後方Ｒ側に向かって側面視で上向きのほぼ半円形の軌跡を描くように、約１２０度〜約１４０度回転させる。同時に、前記方向自在輪４６などや支え軸３５も同期して回転する。
【００２４】
その結果、図５（Ｂ）に示すように、前記牽引枠２０は、方向自在輪４６などや支え軸３５と共に、前記荷台Ｎを形成していた下方枠２、上方枠１２、および傾動枠９，１０の上方に接近した姿勢となる。かかる状態で、牽引枠２０が上方枠１２などから離れないように、図示しない拘束手段により、例えば、牽引枠２０の引き枠２２の位置と上方枠１２の後側角部支持枠１６との位置を固定（拘束）する。尚、上記拘束手段には、例えば、全体がＳ字形状またはＵ字形状の金具や、あるいは細径のワイヤなどが適用可能である。
そして、上記のように、支え軸３５などを含む牽引枠２０と、下方枠２、上方枠１２、および各傾動枠９，１０とが接近し且つ拘束された状態で、図５（Ｂ）に示すように、下方枠２の前枠３を地面ＧＬ上に接地して、例えば、前記一対の車輪８を壁面Ｗに接触させる。その結果、不使用時における本農作業用運搬車１を、コンパクトに折り畳めるので、納屋や物置などの屋内の狭いスペースであっても容易に保管が可能となる。
【００２５】
以上において説明した本農作業用運搬車１によれば、前記下方枠２、上方枠１２、および前後複数ずつの傾動枠９，１０に包囲された直方体状の収納部Ｓには、比較的縦に長い農薬用の薬液タンクＴなどを収納できる。しかも、上方枠１２が後方Ｒ側および前方Ｆ側の双方に不用意に傾かないので、上記収納部Ｓを確実に保持できる。
更に、前記係止枠４０の係止部４３を掛止部３０から解放し、上方枠１２を持って、該上方枠１２を前後複数ずつの傾動枠９，１０を回転させつつ後方Ｒ側に平行移動させると、下方枠２の後方Ｒ側に上方１２枠がほぼ平行状で且つ水平状姿勢となり、引き続いて、係止枠４０を予め後方Ｒ側に移行している上方枠１２の真上にほぼ水平姿勢にして倒すことで、前後方向に沿って長めの荷台Ｎを形成できる。該荷台Ｎの四隅には、左右一対の前側角部支持枠６および後側角部支持枠１６が立設し、且つ後方Ｒ側の中央部には係止部４３が立設しているので、前後方向に長い直方体状の収穫容器Ｂなどを載せて確実に運搬することができる。
【００２６】
しかも、前記下方枠２の後方Ｒ側に上方枠１２を移動させ、且つ係止枠４０を上方枠１２の真上に移動させ、更に、牽引枠２０をその後方Ｒ側の端部を回転中心として後方Ｒ側に回転させることで、該牽引枠２０を下方枠２および上方枠１２の真上にほぼ平行状の姿勢で折り畳むことができる。その結果、本農業用運搬車１の全体を扁平で且つコンパクトな容積に縮小して保管することができる。
従って、農作業用運搬車１によれば、各種の農作業を少ない労力で効率良く行うことができ、且つ各種サイズの薬液タンクＴや収穫容器などＢを容易に積載できると共に、不使用時にはコンパクトに折り畳んで保管することも可能である。
【００２７】
本考案は、以上において説明した形態に限定されるものではない。
例えば、前記下方枠２、上方枠１２、傾動枠９，１０を構成する枠材（３〜５、５ａ，１３〜１５）は、エンジニアプラスチックなどの硬質樹脂管で形成しても良い。
また、前記支え枠５ａは、３本以上としても良いし、左右方向に配設しても良い。
更に、前記下方枠２は、傾動枠９，１０ごとの下端を回転可能に連結できる枠状部分を有すれば、全体が板形状を呈する金属板あるいは樹脂板としても良い。
また、前記前側角部支持枠６および後側角部支持枠１６は、平面視がＬ字形状を呈する金属板あるいは樹脂板としても良い。
更に、前記係止枠４０は、単一の引き枠４２と、その前方Ｆ側の端部から垂下した係止片（係止部）とからなる形態としても良い。かかる形態の場合、棒状の上記係止片をロックするため、掛止部３０には、例えば、左右方向から接近および離間するピンチ形状のロック手段や、上記係止片に穿孔した水平孔内に貫通できるように進退可能な細径のピン（ロック手段）が配置される。
また、前記金具４７および一対の補助車輪４９や、前記一対ずつの軸１７および補助脚１８は、適宜省略することが可能である。
加えて、本考案の農作業用運搬車には、前記実用新案登録第３１６１２６７号公報において開示されたような公知のブレーキ機構を配設することも可能である。
【産業上の利用可能性】
【００２８】
本考案によれば、各種の農作業を少ない労力で効率良く行うことができ、且つ各種サイズの薬液タンクや収穫容器を容易に積載できると共に、不使用時にはコンパクトに折り畳める農作業用運搬車を提供することが可能となる。
【符号の説明】
【００２９】
１…………農作業用運搬車，                  ２…………下方枠，
３，１３…前枠，                            ４，１４…後枠，
５，１５…側枠，                            ６…………前側角部支持枠，
８…………車輪，                            ９，１０…傾動枠，
１２………上方枠，                          １６………後側角部支持枠，
２０………牽引枠，                          ２１………牽引枠の端部，
２２………引き枠，                          ２４………持ち手枠，
３０………掛止部，                          ３１………掛止孔，
３２………摘み付きボルト（ロック手段），    ４０………係止枠，
４２………旋回枠，                          ４３………係止部，
Ｆ…………前方，                            Ｒ…………後方
Ｎ…………荷台
【図１】
0003188684.tif 000003
【図２】
0003188684.tif 000004
【図３】
0003188684.tif 000005
【図４】
0003188684.tif 000006
【図５】
0003188684.tif 000007